(57)【要約】【課題】発光パネルの交換が容易で、照射方向の面の略全域に発光パネルを設けることができる照明器具を提供する。【解決手段】照明器具Ａは、面状発光部（パネル部１）と、本体２と、揺動支持部（ユニバーサルジョイント３）と、保持部（規制部２１及び弾性支持部４）と、を備える。面状発光部は、一方の面から光を照射する。本体２は、開口部２ａを有し、一方の面を開口部２ａから外側に露出させた状態で面状発光部を収容する。揺動支持部は、面状発光部において一方の面と反対側の面に設けた被結合部（ジョイントボール３１）と着脱自在に結合して、面状発光部を本体２に対して揺動自在に支持する。そして、保持部は、一方の面が所定の方向を向くように面状発光部が揺動した状態を保持することを特徴とする。【選択図】図１
2013062134.tif 000002
【特許請求の範囲】
【請求項１】
面状発光部と、本体と、揺動支持部と、保持部と、を備え、
前記面状発光部は、一方の面から光を照射し、
前記本体は、開口部を有し、前記一方の面を前記開口部から外側に露出させた状態で前記面状発光部を収容し、
前記揺動支持部は、前記面状発光部において前記一方の面と反対側の面に設けた被結合部と着脱自在に結合して、前記面状発光部を前記本体に対して揺動自在に支持し、
前記保持部は、前記一方の面が所定の方向を向くように前記面状発光部が揺動した状態を保持する、
ことを特徴とする照明器具。
【請求項２】
前記保持部は、規制部と、弾性支持部と、からなり、
前記規制部は、前記面状発光部と当接することで、前記面状発光部の揺動範囲を規制し、
前記弾性支持部は、前記面状発光部を前記規制部と当接する方向に揺動させる弾性力を前記面状発光部に加える、
ことを特徴とする請求項１記載の照明器具。
【請求項３】
前記規制部又は前記弾性支持部のうち少なくとも何れか一方に、前記面状発光部に給電する給電部が設けられ、前記面状発光部において前記給電部に対応する部位に前記給電部から電力を受電する受電部が設けられた、
ことを特徴とする請求項２記載の照明器具。
【請求項４】
前記給電部は、前記規制部に設けられた凹部内に配置され、
前記受電部は、前記凹部内に挿入されて前記給電部に電気的に接続される突起状の端子を有する、
ことを特徴とする請求項３記載の照明器具。
【発明の詳細な説明】
【技術分野】
【０００１】
本発明は、照明器具に関するものである。
【背景技術】
【０００２】
従来、有機エレクトロルミネッセンス（以下有機ＥＬと略す。）を用いた発光パネルを光源とする照明器具があった（特許文献１参照）。
【０００３】
有機ＥＬの開発はまだ発展途上であり、家庭用や施設用の光源として使用するには、発光面積が小さく、寿命も短い。現段階では、有機ＥＬを用いた発光パネルを光源とする照明器具にて十分な発光面積を得るには、複数の照明器具を互いの発光面が近づくように並べて配置することで、全体としての発光面積を増やすという方法が想定される。この場合、一部の照明器具が故障等によって不点灯となった際、全ての照明器具を交換するよりも、不点灯となった照明器具の発光パネルのみを交換することが好ましい。
【０００４】
特許文献１における照明器具は、天井に設置され、発光パネルと、筐体と、保持部材と、を備えている。発光パネルは、略水平な姿勢で表面から下方に光を放射する板状であり、裏面に弾性変形可能な係合部が設けられている。保持部材は、筐体内に設けられて、発光パネルを側方から係合して揺動可能に保持する。筐体は、開口部を有し、発光パネルを裏面側から覆って収容し、係合部に対応する部位に、係合部と係合する被係合部が設けられている。
【０００５】
この照明器具では、不点灯となった発光パネルを本体から取り外すには、まず、係合部を保持部材から遠ざかる方向に弾性変形させて、被係合部と係合部との係合を外すことで、発光パネルが保持部材によって揺動可能に保持される。そして、発光パネルを本体と遠ざかる方向に揺動させて、発光パネルを保持部材から抜いて、新しい発光パネルと交換することができる。新しい発光パネルを本体に取り付けるには、まず、発光パネルを保持部材に差し込む。次に、係合部を保持部材から遠ざかる方向に弾性変形させて、被係合部と係合部とを係合させる。そして、発光パネルの揺動が規制されて、発光パネルが本体に取り付けられる。
【先行技術文献】
【特許文献】
【０００６】
【特許文献１】特開２００７−２５０３０３号公報
【発明の概要】
【発明が解決しようとする課題】
【０００７】
特許文献１に示されるような照明器具では、発光パネルの故障等で発光パネルを交換する場合、発光パネルを揺動させるために、発光パネルの端部と本体との間に、指を挿入する隙間が必要である。また、保持部材が発光パネルの側方から係合している。そのため、筐体の下側開口の略全体に発光パネルを設けることができなかった。
【０００８】
本発明は、上記事由に鑑みてなされたものであり、その目的は、発光パネルの交換が容易で、照射方向の面の略全域に発光パネルが設けられた照明器具を提供することにある。
【課題を解決するための手段】
【０００９】
上記課題を解決するために本発明の照明器具は、面状発光部と、本体と、揺動支持部と、保持部と、を備える。前記面状発光部は、一方の面から光を照射する。前記本体は、開口部を有し、前記一方の面を前記開口部から外側に露出させた状態で前記面状発光部を収容する。前記揺動支持部は、前記面状発光部において前記一方の面と反対側の面に設けた被結合部と着脱自在に結合して、前記面状発光部を前記本体に対して揺動自在に支持する。そして、前記保持部は、前記一方の面が所定の方向を向くように前記面状発光部が揺動した状態を保持することを特徴とする。
【００１０】
この照明器具において、前記保持部は、規制部と、弾性支持部と、からなる。前記規制部は、前記面状発光部と当接することで、前記面状発光部の揺動範囲を規制する。そして、前記弾性支持部は、前記面状発光部を前記規制部と当接する方向に揺動させる弾性力を前記面状発光部に加える、ことが好ましい。
【００１１】
この照明器具において、前記規制部又は前記弾性支持部のうち少なくとも何れか一方に、前記面状発光部に給電する給電部が設けられる。そして、前記面状発光部において前記給電部に対応する部位に前記給電部から電力を受電する受電部が設けられた、ことが好ましい。
【００１２】
この照明器具において、前記給電部は、前記規制部に設けられた凹部内に配置される。そして、前記受電部は、前記凹部内に挿入されて前記給電部に電気的に接続される突起状の端子を有する、ことも好ましい。
【発明の効果】
【００１３】
本発明では、発光パネルの交換が容易で、照射方向の面の略全域に発光パネルを設けることができるという効果がある。
【図面の簡単な説明】
【００１４】
【図１】本実施形態の照明器具を示し、（ａ）は図２（ｂ）のＢ−Ｂ断面図、（ｂ）は図２（ｃ）のＢ−Ｃ−Ｄ−Ｅ断面図、（ｃ）は図２（ｂ）のＧ−Ｇ断面図である。
【図２】（ａ）は、同上のパネル部の下方斜視図である。（ｂ）は、同上の上方斜視図である。（ｃ）は、同上のパネル部を揺動させた状態の上方斜視図である。
【図３】同上の分解斜視図である。
【発明を実施するための形態】
【００１５】
以下、本発明の実施の形態を図１〜図３に基づいて説明する。尚、以下の説明では、図１（ａ）に示す向きにおいて、上下左右の方向を規定し、紙面手前側を前方、紙面奥側を後方として説明を行う。尚、実際の取り付け方法は、図１（ａ）の向きに限定されるものではない。例えば天井取付の場合は、図１（ａ）の上下が逆転した状態で使用される。
【００１６】
照明器具Ａは、図１〜図３に示すように、パネル部１と、本体２と、ユニバーサルジョイント３と、弾性支持部４と、受電端子５ａ、５ａと、給電端子５ｂ、５ｂと、を備える。
【００１７】
パネル部１は、図１（ａ）及び図３に示すように、発光パネル１１と、パネルボディ１２と、パネルカバー１３と、を備える。
【００１８】
発光パネル１１は、図３に示すように、樹脂材料により前面の形状が略正方形状に形成された平板であり、上面の略全域に有機ＥＬが設けられている。発光パネル１１の下面左方には、外部から電力を受電するための受電端子５ａ、５ａが電気的に接続される。
【００１９】
受電端子５ａ、５ａは、例えば銅合金等の電気伝導性が良好な金属材料からなり、図１（ｃ）、図２（ａ）、図３に示すように、パネルボディ１２の下面から突出する略矩形板で、左下部が弧状に加工されている。受電端子５ａ、５ａは、発光パネル１１に電気的に接続されている。図１に示すように、ジョイントボール３１がジョイントホルダー３２に結合されて、パネル部１が本体２に取付けられた状態では、受電端子５ａ、５ａが給電端子５ｂ、５ｂに電気的に接続される。受電端子５ａ、５ａの下部は、図１（ｂ）に示すように、パネル部１が揺動されても、給電端子５ｂ、５ｂに電気的に接続されている。
【００２０】
パネルボディ１２は、樹脂材料からなり、図１及び図３に示すように、上面の略全体が開口された略箱状である。パネルボディ１２に、発光パネル１１が、発光パネル１１の照射面を露出した状態で、略隙間なく収容される。パネルボディ１２の本体２側の略中央部に、ジョイントボール３１が、パネルボディ１２と一体成型で略垂直下方向に突出して設けられている。パネルボディ１２に、突起部１２１が、パネルボディ１２の左側面の上端から左側に突出するように設けられている。パネルボディ１２には、図１（ｃ）及び図３に示すように、受電端子５ａ、５ａが設けられる位置に、孔１２ａ、１２ａがそれぞれ設けられている。
【００２１】
パネルカバー１３は、例えばガラスや樹脂等の透光性を有する材料からなり、図３に示すように、略矩形板状である。パネルカバー１３は、図１に示すように、発光パネル１１を収容したパネルボディ１２に、発光パネル１１を上方から覆うように取付けられる。
【００２２】
本体２は、樹脂材料からなり、図３に示すように、上面の略全体が開口された箱状である。本体２の底面（下側の面）の上部には、図１及び図３に示すように、ジョイントホルダー３２が、ジョイントボール３１に対応する位置に、本体２と一体成型で突出して設けられている。本体２の左側壁（左側の面）の内面には、図１（ａ）に示すように、内側に張り出すように階段状の規制部２１が設けられている。パネル部１が規制部２１に当接することで、パネル部１がそれ以上の左回転しないように回転範囲が規制される。規制部２１には、図１（ｃ）及び図３に示すように、略垂直下方に伸長する凹部２１ｂ、２１ｂが設けられている。凹部２１ｂ、２１ｂには、給電端子５ｂ、５ｂが配置される。
【００２３】
給電端子５ｂ、５ｂは、図１（ｃ）及び図３に示すように、例えば銅合金等の電気伝導性が良好でバネ性を有する金属材料の板材を略Ｕ字状に折り曲げることによって、一対のバネ片５ｃ、５ｃが一端側で連結されたような形状にそれぞれ形成されている。給電端子５ｂ、５ｂは、パネル部１に点灯電力を供給する電源部に電気的に接続される。尚、一対のバネ片５ｃ、５ｃは、他端側が互いに反対向きに折り曲げられており、他端側の先端部位に近づくほど互いの間隔が広がるような傾斜面となっている。給電端子５ｂ、５ｂは、上部が露出しないように、凹部２１ｂ、２１ｂに配置される。一対のバネ片５ｃ、５ｃは、対向する面が互いに近づくような弾性力を有していて、一対のバネ片５ｃ、５ｃの間に受電端子５ａが挿入されると、バネ片５ｃ、５ｃの両側から受電端子５ａを挟んで、受電端子５ａと電気的に接続する。
【００２４】
ユニバーサルジョイント３は、図１（ａ）に示すように、ジョイントボール３１と、ジョイントホルダー３２と、からなる。
【００２５】
ジョイントボール３１は、図１（ａ）及び図２（ａ）に示すように、パネルボディ１２の本体２側の略中央部に、パネルボディ１２と一体成型で略垂直下方向に突出して設けられている。ジョイントボール３１は、図１（ａ）に示すように、パネルボディ１２に当接して略垂直下方に突出する円柱部３１ｂと、円柱部３１ｂの先端に設けられて円柱部３１ｂの直径よりも大きな直径の球部３１ａと、からなる。
【００２６】
ジョイントホルダー３２は、図１（ａ）に示すように、ジョイントボール３１に対応する位置の、本体２のパネル部１側の面に、本体２と一体成型で突出して設けられている。ジョイントホルダー３２は、弾性変形可能であり、図１（ａ）及び図３に示すように、略半球状の凹部である。
【００２７】
ジョイントホルダー３２に、ジョイントボール３１を押し込むことで、ジョイントホルダー３２が弾性変形し、球部３１ａの半分以上がジョイントホルダー３２に略内接するようにジョイントボール３１と結合し、パネル部１は本体２に揺動可能に支持される。図１（ａ）の状態にて、パネル部１の上面と開口部２ａとは略同一平面である。図１（ｂ）の状態にて、突起部１２１を上方に引っ張ることで、ジョイントホルダー３２が弾性変形し、ジョイントボール３１とジョイントホルダー３２の結合が解除されて、パネル部１を本体２から取り外すことができる。
【００２８】
弾性支持部４は、図１（ａ）に示すように、金属材料から形成されたコイル状のバネ４１と、受部４ａ、４ｂと、からなる。受部４ａは、パネルボディ１２の下面から下方に突出した略円筒状の突起であり、ユニバーサルジョイント３よりも右方に設けられている。受部４ｂは、受部４ａに対応する位置の本体２の上面から上方に突出した略円筒状の突起である。バネ４１は、受部４ａ、４ｂに両端が収められると、たわめられた状態となり、弾性力Ｆｒでパネル部１を規制部２１に当接させる方向に揺動させる。
【００２９】
次に照明器具Ａの動作の説明をする。外部電源（商用電源）からの電力が、外部に設けられた電源部（図示せず）によって、発光パネル１１が点灯できる点灯電力に変換される。給電端子５ｂ、５ｂは、電源ケーブル（図示せず）を経由して電源部に接続されており、給電端子５ｂ、５ｂに、受電端子５ａ、５ａが接続されることによって、発光パネル１１に点灯電力が供給されて、発光パネル１１が発光する。パネル部１を交換する場合は、図１（ｂ）に示すように、まず、作業者が、バネ４１の弾性力Ｆｒよりも大きな外力Ｆで、パネル部１の右部を下方に押す。すると、パネル部１が、ユニバーサルジョイント３を中心に図中右回りに回転して、本体２と突起部１２１との間に、作業者の指が入る程度の隙間が開く。作業者が、この隙間に指を入れて、パネル部１を上方に引っ張ることで、ジョイントボール３１とジョイントホルダー３２との結合が外され、パネル部１が本体２から取り外される。その後、作業者が、代替のパネル部１が本体２に収容されるように、パネル部１を下方に押すことで、ジョイントボール３１とジョイントホルダー３２とが結合し、パネル部１が本体２に揺動可能に支持されて、交換作業が完了する。尚、この状態では受電端子５ａと給電端子５ｂ間が電気的に接続され、電源部からパネル部１に点灯電力が供給される。
【００３０】
上述のように、照明器具Ａは、面状発光部（パネル部１）と、本体２と、揺動支持部（ユニバーサルジョイント３）と、保持部（規制部２１及び弾性支持部４）と、を備える。面状発光部は、一方の面から光を照射する。本体２は、開口部２ａを有し、一方の面を開口部２ａから外側に露出させた状態で面状発光部を収容する。揺動支持部は、面状発光部において一方の面と反対側の面に設けた被結合部（ジョイントボール３１）と着脱自在に結合して、面状発光部を本体２に対して揺動自在に支持する。そして、保持部は、一方の面が所定の方向を向くように面状発光部が揺動した状態を保持することを特徴とする。
【００３１】
これにより、揺動支持部は面状発光部の裏側に設けられるので、複数の照明器具Ａを、面状発光部同士を近接した状態で、略隙間なく並べることができるから、全体として発光面積を増やすことができる。また、面状発光部が所定の方向を向いた状態から面状発光部を揺動させることで、面状発光部を支持する本体２と面状発光部との間に隙間ができるから、この隙間に手を入れて面状発光部を取り外すことができる。したがって、工具を用いることなく、面状発光部の交換作業を容易に行うことができる。
【００３２】
この照明器具Ａにおいて、保持部は、規制部２１と、弾性支持部４と、からなる。規制部２１は、面状発光部と当接することで、面状発光部の揺動範囲を規制する。そして、弾性支持部４は、面状発光部を規制部２１と当接する方向に揺動させる弾性力Ｆｒを面状発光部に加える、ことが好ましい。
【００３３】
これにより、弾性支持部４が面状発光部に弾性力Ｆｒを加えることによって、面状発光部が規制部２１に押し付けられた状態で位置決めされるから、面状発光部の発光面を所定の方向を向いた状態で位置決めすることができる。
【００３４】
この照明器具Ａにおいて、規制部２１又は弾性支持部４のうち少なくとも何れか一方に、面状発光部に給電する給電部（給電端子５ｂ）が設けられる。そして、面状発光部において給電部に対応する部位に給電部から電力を受電する受電部（受電端子５ａ）が設けられた、ことが好ましい。
【００３５】
これにより、面状発光部を本体２に取り付けると、給電部と受電部とがそれぞれ電気的に接続されて、面状発光部が給電されるから、面状発光部と本体２との間を電気的に接続する別途の作業が不要になる。
【００３６】
この照明器具Ａにおいて、給電部は、規制部２１に設けられた凹部２１ｂ、２１ｂ内に配置される。そして、受電部は、凹部２１ｂ、２１ｂ内に挿入されて給電部に電気的に接続される突起状の端子を有する、ことも好ましい。
【００３７】
これにより、給電部が凹部２１ｂ、２１ｂの外側に露出しないため、面状発光部を本体２から取り外す際に、作業者が給電部に触れにくくなり、作業の安全性が向上する。
【００３８】
尚、照明器具Ａを取り付ける方向は、図１の方向に限るものではない。例えば照明器具Ａを天井に取り付ける場合は、図１の上下方向が逆転する。また、照明器具Ａを壁に取り付ける場合は、図１の左右方向を上下方向としてもよい。
【００３９】
また、発光パネル１１に設けられる光源は、発光パネル１１に設けられて略面状の光源となるものであれば、有機ＥＬに限るものではなく、無機エレクトロルミネッセンスであっても、発光パネル１１の上面に略均等に配置されたＬＥＤであってもよい。
【００４０】
また、規制部２１は、図１〜図３では本体２の左側壁に一体成型で設けられているが、個別に設けられてもよい。例えば、規制部２１は、略矩形板の本体２の左側壁に、図１（ａ）の紙面奥行き方向が長手方向である略Ｌ字形の平板を、谷側が本体２の左側壁側を向くようにして、設けられたものでもよい。この場合、凹部２１ｂ、２１ｂは、給電端子５ｂ、５ｂが露出することなく収容できて、且つ、短絡の虞がない構造であればよい。例えば、孔１２ａ、１２ａに対応する位置の規制部２１に孔を設け、規制部２１に絶縁処理を施す。そして、給電端子５ｂ、５ｂが受電端子５ａ、５ａと接続されるように、給電端子５ｂ、５ｂをネジや接着等で規制部２１に固定してもよい。
【００４１】
また、揺動支持部は、パネル部１を揺動支持し、且つ、パネル部１を本体２に容易に取り外すことができるものであれば、ユニバーサルジョイントに限るものではない。ユニバーサルジョイントは全周方向に回転可能であるが、揺動支持部は少なくとも一方向に回転可能であればよい。例えばパネルボディ１２の本体２側に、紙面と垂直な中心軸を有する、円柱状の軸を設け、円柱状の軸と対応する位置の本体２に、円柱状の軸が嵌合する軸受を設けて、パネル部１が紙面に垂直な軸を中心に回転するものでもよい。
【００４２】
また、弾性支持部４のバネ４１の数は、１つに限るものではなく、ユニバーサルジョイント３と本体２の右側壁との間に、２つ以上設けてもよい。バネ４１を２つ以上設ける場合は、紙面奥行き方向に略対称に、バネ４１と、バネ４１に対応する受部４ａ、４ｂと、が設置されることがより好ましい。弾性支持部４は、揺動支持部に対して、規制部２１と反対側に設けられることが好ましいが、規制部２１と同じ側に設けられてもよい。
【００４３】
また、パネルカバー１３と、本体２と、規制部２１と、ユニバーサルジョイント３と、は、樹脂材料からなるものに限るものではなく、鋼板等の金属材料を加工したものからなるものでもよい。この場合は、短絡の虞がある箇所に絶縁加工を施す必要がある。
【００４４】
また、パネルカバー１３と、ジョイントボール３１と、受部４ａと、は一体成型からなるものに限るものではなく、溶接や接着、係合等によって、ジョイントボール３１と受部４ａとをパネルカバー１３に固定させたものでも構わない。同様に、本体２と、ジョイントホルダー３２と、受部４ｂと、は一体成型からなるものに限るものではなく、溶接や接着、係合等によって、ジョイントホルダー３２と受部４ｂとを本体２に固定させたものでも構わない。
【００４５】
また、給電部を設ける場所は、規制部２１に限るものではなく、規制部２１と弾性支持部４に各１箇所ずつ設けても、弾性支持部４に２ヶ所設けても構わない。弾性支持部４に給電部を設ける場合は、導電性を有するバネ４１で給電部を構成すればよい。
【００４６】
例えば、本実施形態において、弾性支持部４を２つ設け、それぞれの弾性支持部４、４に給電部を設ける場合について述べる。受電部は、例えば銅合金等の電気伝導性が良好な金属材料からなり、略矩形板状で、バネ４１、４１の上端に対応する位置の発光パネルにそれぞれ設けられて、発光パネル１１と電気的に接続されている。弾性支持部４、４のバネ４１、４１は、それぞれ電気伝導性が良好な材料で形成されて、電源部に接続され、上端が受電部に当接して電気的に接続することで、発光パネル１１に点灯電力が供給される。この場合、パネル部１を本体２から取り外した際に、給電部を兼ねたバネ４１が露出していると、作業者が感電する可能性があるため、バネ４１が給電部を兼ねる場合は、バネ４１が露出しないようにすることが好ましい。例えば、バネ４１、４１を覆うように、絶縁材料からなり、バネ４１、４１の伸縮方向に伸縮する円筒状の蛇腹（図示せず）がそれぞれ設けられてもよい。この蛇腹によって、パネル部１を本体２から取り外しても、バネ４１、４１が露出しない。また、蛇腹の下端を受部４ｂに固定すると、発光面が下方を向くように照明器具Ａを天井等に固定しても、蛇腹はバネ４１、４１から抜け落ちずに、バネ４１、４１を覆い、より作業の安全性が向上する。
【００４７】
また、発光パネル１１の点灯電力は、パネル部１に設けられる光源の種類に応じて異なるものであり、商用電力と異なる電圧の交流電力であっても、直流電力であってもよい。
【符号の説明】
【００４８】
Ａ  照明器具Ａ
Ｆ  外力
Ｆｒ  弾性力
１  パネル部（面状発光部）
１１  発光パネル
１２  パネルボディ
１２ａ  孔
１２１  突起部
１３  パネルカバー
２  本体
２ａ  開口部  
２１  規制部（保持部）
２１ｂ  凹部
３  ユニバーサルジョイント（揺動支持部）
３１  ジョイントボール（被結合部）
３１ａ  球部
３１ｂ  円柱部
３２  ジョイントホルダー
４  弾性支持部（保持部）
４ａ、４ｂ  受部
４１  バネ
５ａ  受電端子（受電部）
５ｂ  給電端子（給電部）
５ｃ  バネ片
【図１】
2013062134.tif 000003
【図２】
2013062134.tif 000004
【図３】
2013062134.tif 000005